【手続補正書】
【提出日】平成24年2月9日(2012.2.9)
【手続補正１】
【補正対象書類名】特許請求の範囲
【補正対象項目名】全文
【補正方法】変更
【補正の内容】
【特許請求の範囲】
【請求項１】
ゴルフボールに係合する接触領域を提供するフェース、および
支持体および重りを含む重り位置決めシステム
を含むゴルフクラブヘッドであって、重りが支持体に沿ってかつ支持体の周囲を移動可能であり、フェースに対するゴルフクラブヘッドの重心位置を変更する、ゴルフクラブヘッド。
【請求項２】
シェルを含み、フェースがシェルの一部である、請求項1記載のゴルフクラブヘッド。
【請求項３】
シェルがアパーチャを規定し、重り位置決めシステムが、アパーチャを通してシェルの内部から取り外すことができる、請求項2記載のゴルフクラブヘッド。
【請求項４】
アパーチャが、シェルの下部領域に位置している、請求項3記載のゴルフクラブヘッド。
【請求項５】
重り位置決めシステムが、重り位置決めシステムをシェルに連結するように構成されたコネクタを含む、請求項2記載のゴルフクラブヘッド。
【請求項６】
支持体が実質的に垂直方向に位置している、請求項1記載のゴルフクラブヘッド。
【請求項７】
重り位置決めシステムが、支持体に対する重りの位置を固定するロック機構を含む、請求項1記載のゴルフクラブヘッド。
【請求項８】
ロック機構が、支持体の周囲に延びる一対のロックリングである、請求項7記載のゴルフクラブヘッド。
【請求項９】
支持体およびロックリングが対応するねじ山を含む、請求項8記載のゴルフクラブヘッド。
【請求項１０】
ロックリングが、重りの両側に位置している、請求項8記載のゴルフクラブヘッド。
【請求項１１】
重りの重心が支持体の中心線からずれている、請求項1記載のゴルフクラブヘッド。
【請求項１２】
重りが楕円形を有する、請求項1記載のゴルフクラブヘッド。
【請求項１３】
重りが、支持体の周囲に少なくとも部分的に延びる開口部を規定する、請求項1記載のゴルフクラブヘッド。
【請求項１４】
重りの重心が開口部からずれている、請求項13記載のゴルフクラブヘッド。
【請求項１５】
支持体に沿ってくぼみと突起のうちの一方が延びており、くぼみと突起のうちの他方が開口部内に位置し、くぼみが突起を受け入れて支持体の周囲の重りの移動を制限する、請求項13記載のゴルフクラブヘッド。
【請求項１６】
重りが、支持体に沿って独立に移動可能でありかつ支持体の周囲を独立に移動可能である、請求項1記載のゴルフクラブヘッド。
【請求項１７】
重り位置決めシステムが、支持体に対する重りの位置を判定するための少なくとも1つのスケールを含む、請求項1記載のゴルフクラブヘッド。
【請求項１８】
重りが、複数の代替重りのうちの1つと相互交換可能である、請求項1記載のゴルフクラブヘッド。
【請求項１９】
少なくとも1つの代替重りが、該重りとは異なる質量を有する、請求項18記載のゴルフクラブヘッド。
【請求項２０】
少なくとも1つの代替重りが、該重りとは異なる形状を有する、請求項18記載のゴルフクラブヘッド。
【請求項２１】
重り位置決めシステムが、ゴルフクラブヘッドの外側に取り付けられる、請求項1記載のゴルフクラブヘッド。
【請求項２２】
重りが、支持体から外側に延びる一対のアームを含み、一対の質量がアームに固定される、請求項1記載のゴルフクラブヘッド。
【請求項２３】
アームが互いに対して角度を成している、請求項22記載のゴルフクラブヘッド。
【請求項２４】
ゴルフボールに係合する接触領域を提供するフェースを有するシェル、および
実質的にシェルの内部に配置された重り位置決めシステム
を含むゴルフクラブであって、重り位置決めシステムが、
支持体、および
支持体に移動可能に連結され、ゴルフクラブヘッドの重心位置をフェースに対して第1の方向に変更するように支持体に沿って移動可能であり、かつゴルフクラブヘッドの重心位置をフェースに対して第2の方向に変更するように支持体の周囲を移動可能である重り
を含む、ゴルフクラブヘッド。
【請求項２５】
重りが、支持体に沿って独立に移動可能でありかつ支持体の周囲を独立に移動可能である、請求項24記載のゴルフクラブヘッド。
【請求項２６】
アパーチャが、シェルの下部領域に位置し、重り位置決めシステムは、アパーチャを通してシェルの内部から取り外すことができる、請求項24記載のゴルフクラブヘッド。
【請求項２７】
重り位置決めシステムが、支持体に対する重りの位置を固定するロック機構を含む、請求項24記載のゴルフクラブヘッド。
【請求項２８】
ロック機構が、支持体の周囲に延びる一対のロックリングである、請求項27記載のゴルフクラブヘッド。
【請求項２９】
支持体およびロックリングが対応するねじ山を含む、請求項28記載のゴルフクラブヘッド。
【請求項３０】
重りの重心が支持体の中心線からずれている、請求項24記載のゴルフクラブヘッド。
【請求項３１】
重りが、支持体の周囲に少なくとも部分的に延びる開口部を規定する、請求項24記載のゴルフクラブヘッド。
【請求項３２】
重りの重心が開口部からずれている、請求項31記載のゴルフクラブヘッド。
【請求項３３】
支持体に沿ってくぼみと突起のうちの一方が延びており、くぼみと突起のうちの他方が重りに規定された開口部内に位置し、くぼみが突起を受け入れて支持体の周囲の重りの移動を制限する、請求項24記載のゴルフクラブヘッド。
【請求項３４】
重り位置決めシステムが、支持体に対する重りの位置を判定するための少なくとも1つのスケールを含む、請求項24記載のゴルフクラブヘッド。
【請求項３５】
重りが、複数の代替重りのうちの1つと相互交換可能である、請求項24記載のゴルフクラブヘッド。
【請求項３６】
少なくとも1つの代替重りが、該重りとは異なる質量を有する、請求項35記載のゴルフクラブヘッド。
【請求項３７】
少なくとも1つの代替重りが、該重りとは異なる形状を有する、請求項35記載のゴルフクラブヘッド。
【請求項３８】
重り位置決めシステムが、重り位置決めシステムをシェルに連結するように構成されたコネクタを含む、請求項24記載のゴルフクラブヘッド。
【請求項３９】
重りが、支持体から外側に延びる一対のアームを含み、一対の質量がアームに固定される、請求項24記載のゴルフクラブヘッド。
【請求項４０】
アームが互いに対して角度を成している、請求項39記載のゴルフクラブヘッド。
【請求項４１】
細長いシャフト、およびシャフトの端部上に位置するヘッドを有するゴルフクラブであって、ヘッドが、
ゴルフボールに係合する接触領域を提供するフェース、ならびに
支持体、
支持体に移動可能に連結され、ゴルフクラブヘッドの重心位置をフェースに対して第1の方向に変更するように支持体に沿って独立に移動可能であり、かつゴルフクラブヘッドの重心位置をフェースに対して第2の方向に変更するように支持体の周囲を独立に移動可能である重り、および
支持体に対する重りの位置を固定するロック機構
を含む重り位置決めシステム
を含む、ゴルフクラブ。
【請求項４２】
ゴルフクラブヘッドがシェルを含み、フェースがシェルの一部である、請求項41記載のゴルフクラブ。
【請求項４３】
シェルがアパーチャを規定し、重り位置決めシステムが、アパーチャを通してシェルの内部から取り外すことができる、請求項42記載のゴルフクラブ。
【請求項４４】
アパーチャが、シェルの下部領域に位置している、請求項43記載のゴルフクラブ。
【請求項４５】
ロック機構が、支持体の周囲に延びる一対のロックリングである、請求項41記載のゴルフクラブ。
【請求項４６】
支持体およびロックリングが対応するねじ山を含む、請求項45記載のゴルフクラブ。
【請求項４７】
重りの重心が支持体の中心線からずれている、請求項41記載のゴルフクラブ。
【請求項４８】
重りが、支持体の周囲に少なくとも部分的に延びる開口部を規定する、請求項41記載のゴルフクラブ。
【請求項４９】
重りの重心は開口部からずれている、請求項48記載のゴルフクラブ。
【請求項５０】
支持体に沿ってくぼみと突起のうちの一方が延びており、くぼみと突起のうちの他方が開口部内に位置し、くぼみが突起を受け入れて支持体の周囲の重りの移動を制限する、請求項48記載のゴルフクラブ。
【請求項５１】
重りが、複数の代替重りのうちの1つと相互交換可能である、請求項41記載のゴルフクラブ。
【請求項５２】
少なくとも1つの代替重りが、該重りとは異なる質量を有する、請求項51記載のゴルフクラブ。
【請求項５３】
少なくとも1つの代替重りが、該重りとは異なる形状を有する、請求項51記載のゴルフクラブ。
【請求項５４】
重り位置決めシステムが、ヘッドの外側に取り付けられる、請求項41記載のゴルフクラブ。
【請求項５５】
細長いシャフト、およびシャフトの端部上に位置するヘッドを有するゴルフクラブであって、ヘッドが、
ゴルフボールに係合する接触領域を提供するフェース、および
支持体および重りを含む重り位置決めシステムであって、重りが支持体に対して三次元で移動可能であり、フェースに対するゴルフクラブヘッドの重心位置を変更する、重り位置決めシステム
を含む、ゴルフクラブ。
【請求項５６】
重り位置決めシステムが、支持体に対する重りの位置を固定するロック機構を含む、請求項55記載のゴルフクラブ。
【請求項５７】
ロック機構が、支持体の周囲に延びる一対のロックリングである、請求項55記載のゴルフクラブ。
【請求項５８】
重りの重心が支持体の中心線からずれている、請求項55記載のゴルフクラブ。
【請求項５９】
重りが、支持体の周囲に少なくとも部分的に延びる開口部を規定する、請求項55記載のゴルフクラブ。
【請求項６０】
重りの重心が開口部からずれている、請求項59記載のゴルフクラブ。
【請求項６１】
重りが、複数の代替重りのうちの1つと相互交換可能である、請求項55記載のゴルフクラブ。
【請求項６２】
少なくとも1つの代替重りが、該重りとは異なる質量および異なる形状のうちの少なくとも一方を有する、請求項61記載のゴルフクラブ。
【請求項６３】
重り位置決めシステムが、ヘッドの外側に取り付けられる、請求項55記載のゴルフクラブ。
【請求項６４】
ゴルフボールに係合する接触領域を提供するフェース、および
支持体および重りを含む重り位置決めシステムであって、重りが支持体に対して三次元で移動可能であり、フェースに対するゴルフクラブヘッドの重心位置を変更する、重り位置決めシステム
を含むゴルフクラブヘッド。
【請求項６５】
シェルを含み、フェースがシェルの一部である、請求項64記載のゴルフクラブヘッド。
【請求項６６】
支持体が実質的に垂直方向に位置している、請求項64記載のゴルフクラブヘッド。
【請求項６７】
重り位置決めシステムが、支持体に対する重りの位置を固定するロック機構を含む、請求項64記載のゴルフクラブヘッド。
【請求項６８】
重りの重心が支持体の中心線からずれている、請求項64記載のゴルフクラブヘッド。
【請求項６９】
重りが、支持体に沿って独立に移動可能でありかつ支持体の周囲を独立に移動可能である、請求項64記載のゴルフクラブヘッド。
【請求項７０】
重りが、支持体から外側に延びる一対のアームを含み、一対の質量がアームに固定される、請求項64記載のゴルフクラブヘッド。